(57)【要約】      （修正有）【課題】先端部が突出したフィルタを支持する支持体が、ケースに対して取付けられた場合であっても、フィルタを所定の位置に送り込むことができる空気調和装置を提供すること。【解決手段】清掃ユニットより清掃されたフィルタ３１を一時的に保持する保持部１２の入口（１２ａ）の直前には、支持体５０の送り込み方向側の端部から突出したフィルタ３１の先端部３４を、保持部１２に向けてガイドすることが可能なガイド部６０が設けられている。このガイド部６０は、送り込み方向から見たフィルタの幅方向において、少なくとも１つの薄肉状の薄肉部７２を有している。この薄肉部７２の側方には、導入口２１から導入された空気が通過可能な通気スペースが設けられている。【選択図】図６
2020020481.tif 000002
【特許請求の範囲】
【請求項１】
空気を導入する導入口が設けられたケースと、このケース内への塵埃の侵入を防止するフィルタと、このフィルタを出し入れ可能に支持すると共に前記ケースに対して着脱可能な支持体と、前記支持体から前記フィルタを送り込む駆動機構と、送り込まれた前記フィルタを清掃する清掃ユニットと、この清掃ユニットにより清掃された前記フィルタを一時的に保持する保持部と、を有する、空気調和装置において、
前記保持部の入口の直前には、前記支持体の送り込み方向側の端部から突出した前記フィルタの先端部を、前記保持部に向けてガイドすることが可能なガイド部が設けられ、
このガイド部は、送り込み方向から見た前記フィルタの幅方向において、少なくとも１つの薄肉状の薄肉部を有しており、
この薄肉部の側方には、前記導入口から導入された空気が通過可能な通気スペースが設けられている、ことを特徴とする空気調和装置。
【請求項２】
前記清掃ユニットは、前記フィルタの表面に接触するブラシと、このブラシと共に前記フィルタを挟み込むことが可能な受け部を有し、
前記ガイド部は、前記受け部のフィルタ導入側の縁部に沿って設けられている、ことを特徴とする請求項１に記載の空気調和装置。
【請求項３】
前記ガイド部は、先端に向かうに連れて、前記導入口から離れる方向に、屈曲又は湾曲している、ことを特徴とする請求項１又は請求項２に記載の空気調和装置。
【請求項４】
前記フィルタを送り込む方向から見て、前記フィルタの両端部は、前記支持体に支持されており、前記薄肉部は、前記フィルタの幅方向について前記導入口の中央に位置している、ことを特徴とする請求項１〜請求項３のいずれか１項に記載の空気調和装置。
【発明の詳細な説明】
【技術分野】
【０００１】
本発明は、フィルタの清掃機能を有する空気調和装置に関する。
【背景技術】
【０００２】
空気調和装置には、塵埃の侵入を防止するフィルタを清掃する機能を有するものがある。このような空気調和装置に関する従来技術として特許文献１に開示される技術がある。
【０００３】
図８（ａ）は、特許文献１の空気調和装置のフィルタを清掃する構成を模式的に示した断面図である。空気調和装置１００は、空気を導入する導入口１０１が設けられたケース１０２と、ケース内への塵埃の侵入を防止するフィルタ１０３と、フィルタ１０３を出し入れ可能に保持すると共にケース１０２に着脱可能な支持体１０４と、フィルタ１０３を送り込む駆動機構１０５と、送り込まれたフィルタ１０３を清掃するブラシ１０６と、ブラシ１０６により清掃されたフィルタ１０３を一時的に保持する保持部１０７と、を有する。
【０００４】
ケース１０２の内壁部１０２ａには、ガイド溝１０２ｂが設けられている。支持体１０４の側面１０４ａは、ガイド溝１０２ｂに沿ってスライド可能な突出部１０４ｂを有している。突出部１０４ｂをガイド溝１０２ｂに沿ってスライドさせると、支持体１０４をケース１０２に取り付けることができる。
【０００５】
駆動機構１０５が駆動すると、フィルタ１０３は保持部１０７に向かって移動する。保持部１０７に入る前に、フィルタ１０３の表面は回転しているブラシ１０６に接触し、フィルタ１０３の表面に付着した塵埃は絡めとられる。塵埃が取り除かれたフィルタ１０３は、保持部１０７に送り込まれる。
【０００６】
図８（ｂ）を参照する。上記の通り、フィルタ１０３は、支持体１０４上を移動可能である。そのため、支持体１０４にフィルタ１０３が取り付けた時に、フィルタ１０３の先端部１０３ａが、支持体１０４の送り込み方向側の端部１０４ｃから突出していることがある。先端部１０３ａが突出したまま、支持体１０４をケース１０２に対してスライドさせると、フィルタ１０３の先端部１０３ｃは、保持部１０７の入り口の手前に位置することがある。
【０００７】
図８（ｃ）を参照する。先端部１０３ａが保持部１０７の入り口の手前に位置したまま、支持体１０４をケース１０２に取り付けると、フィルタ１０３を保持部１０７に送り込むことができない。
【０００８】
フィルタ１０３の先端部１０３ａが端部１０４ｃから突出した状態で、支持体１０４がケース１０２に取り付けられた場合であっても、フィルタ１０３を保持部１０７に送り込むことができれば好ましい。
【先行技術文献】
【特許文献】
【０００９】
【特許文献１】特開２０１８−８４３８８号公報
【発明の概要】
【発明が解決しようとする課題】
【００１０】
本発明は、先端部が突出した状態でフィルタを支持している支持体が、ケースに対して取付けられた場合であっても、フィルタを所定の位置に送り込むことができる空気調和装置の提供を課題とする。
【課題を解決するための手段】
【００１１】
請求項１による発明によれば、空気を導入する導入口が設けられたケースと、このケース内への塵埃の侵入を防止するフィルタと、このフィルタを出し入れ可能に支持すると共に前記ケースに対して着脱可能な支持体と、前記支持体から前記フィルタを送り込む駆動機構と、送り込まれた前記フィルタを清掃する清掃ユニットと、この清掃ユニットにより清掃された前記フィルタを一時的に保持する保持部と、を有する、空気調和装置において、
前記保持部の入口の直前には、前記支持体の送り込み方向側の端部から突出した前記フィルタの先端部を、前記保持部に向けてガイドすることが可能なガイド部が設けられ、
このガイド部は、送り込み方向から見た前記フィルタの幅方向において、少なくとも１つの薄肉状の薄肉部を有しており、
この薄肉部の側方には、前記導入口から導入された空気が通過可能な通気スペースが設けられている、ことを特徴とする空気調和装置が提供される。
【００１２】
請求項２に記載のごとく、好ましくは、前記清掃ユニットは、前記フィルタの表面に接触するブラシと、このブラシと共に前記フィルタを挟み込むことが可能な受け部を有し、
前記ガイド部は、前記受け部のなかの、フィルタ導入側の縁部に沿って設けられている。
【００１３】
請求項３に記載のごとく、好ましくは、前記ガイド部は、先端に向かうに連れて、前記導入口から離れる方向に、屈曲又は湾曲している。
【００１４】
請求項４に記載のごとく、好ましくは、前記フィルタを送り込む方向から見て、前記フィルタの両端部は、前記支持体に支持されており、前記薄肉部は、前記フィルタの幅方向について前記導入口の中央に位置している。
【発明の効果】
【００１５】
請求項１に係る発明では、清掃されたフィルタを一時的に保持する保持部の入口の直前には、支持体の送り込み方向側の端部から突出したフィルタの先端部を、保持部に向けてガイドすることが可能なガイド部が設けられている。
【００１６】
そのため、支持体をケースに取り付けると、支持体から突出したフィルタの先端部は、ガイド部上と当接し、保持部に向けてガイドされる。ガイド部は、先端部と当接した際に、先端部を押し込める作用も有する。
【００１７】
加えて、このガイド部は、送り込み方向から見たフィルタの幅方向において、薄肉状の薄肉部を有している。仮に、薄肉部が設けられず、フィルタ幅方向を面状の部材のみが設けられると、導入口から導入された空気の流れを遮るおそれがる。一方、薄肉部が設けられれば、薄肉部の側方に、導入口から導入された空気が通過可能な通気スペースが設けられれる。そのため、空気の流れは遮られない。以上より、ガイド部は、導入口から導入された空気の流れを遮らずに先端部のガイドをすることができる。
【００１８】
請求項２に係る発明では、清掃ユニットは、ブラシと共にフィルタを挟み込むことが可能な受け部を有している。ガイド部は、受け面のなかの、フィルタ導入側の縁部に沿って設けられている。受け部を利用することで、ケース内においてガイド部を容易に追加できる。
【００１９】
請求項３に係る発明では、ガイド部は、先端に向かうに連れて、導入口から離れる方向に、屈曲又は湾曲している。フィルタの先端部が支持体からより大きく突出していても、先端部はガイド部に当接しやすくなる。フィルタを保持部に向けて確実にガイドさせることができる。
【００２０】
請求項４に係る発明では、フィルタの両端部は、支持体に支持されている。そのため、両端が支持されているフィルタは、フィルタの先端部の中央付近が最も撓みやすい。薄肉部は、フィルタの中の最も撓みやすい部位と接触するようになり、フィルタを保持部に向けて確実にガイドできる。
【図面の簡単な説明】
【００２１】
【図１】本発明の実施例による空気調和装置の斜視図である。
【図２】図１の２−２線断面図である。
【図３】図２に示された空気調和装置の清掃ユニット周辺を拡大した図である。
【図４】ケースに対する支持体の取り付けを説明をする図である。
【図５】図４に示された薄肉部を拡大した図である。
【図６】本発明の作用図である。
【図７】支持体の別実施例について説明する図である。
【図８】従来技術の基本構成について説明する図である。
【発明を実施するための形態】
【００２２】
本発明の実施の形態を添付図に基づいて以下に説明する。なお、図中Ｆｒは前、Ｒｒは後、Ｌは左、Ｒは右、Ｕｐは上、Ｄｎは下を示している。
【００２３】
図１には、実施例による空気調和装置が示されている。この空気調和装置は、屋内の壁Ｗａに掛けて用いられる。
【００２４】
図１及び図２を参照する。空気調和装置１０は、空気を導入する導入口２１が上面に設けられたケース１１と、屋内の空気をケース１１内に取り込み屋内へ送風するファン２２と、このファン２２が取り込んだ空気と熱交換を行う複数の熱交換器２３と、これらの熱交換器２３の外周を通過した空気を送風する送風口２４と、熱交換器２３の上方に配置されケース１１内への塵埃の侵入を防止するフィルタユニット３０と、フィルタユニット３０に設けられたフィルタ３１を清掃する清掃ユニット４０と、清掃ユニット４０により清掃されたフィルタ３１を一時的に保持する保持部１２と、ケース１１に取り付けられ塵埃を収集する収集箱１３と、ケース１１の後面に設けられて壁Ｗａに固定される金属製の支持板１４と、を有している。
【００２５】
図３を参照する。清掃ユニット４０は、回転可能なブラシ４１と、ブラシ４１と共にフィルタ３１を挟み込むことが可能な受け部４２と、ブラシ４１から塵埃を分離する分離部４３と、を有する。
【００２６】
受け部４２は、保持部１２の前方に設けられた壁部１５の上端部１５ａに一体的に形成されている。受け部４２は、壁部１５の上端部１５ａから前上がりに延びている。
【００２７】
フィルタユニット３０は、フィルタ３１を移動させるフィルタギヤ３２（駆動機構３２）を有している。ケース１１に設けられた駆動ギヤ１６によりフィルタギヤ３２が回転すると、フィルタ３１は、後方（清掃ユニット４０側）に送り込まれる。
【００２８】
送り込まれたフィルタ３１の内面３１ａは、受け部４２に支持される。フィルタ３１の外面３１ｂはブラシ４１の先端と接触する。回転するブラシ４１は、フィルタ３１の外面３１ｂに付着した塵埃を絡め取る。塵埃が取り除かれたフィルタ３１は、保持部１２に送り込まれる。
【００２９】
回転するブラシ４１は分離部４３に接触する。ブラシ４１の先端は分離部４３により弾かれ、ブラシ４１に付着していた塵埃は分離される。分離された塵埃は、保持部１２の後方を通過して収集箱１３に落下し、収集される。使用者は、収集箱１３をケース１１から外し、収集された塵埃を廃棄することができる。
【００３０】
図４を参照する。フィルタユニット３０は、フィルタ３１を出し入れ可能に支持する支持体５０を有している。支持体５０は、樹脂成形品であり、ケース１１に対して着脱可能である。支持体５０は、フィルタユニット３０の着脱方向（矢印（１）参照）に延びフィルタ３１の左右のフィルタ端部３３、３３（フィルタ３１の両端部３３、３３）を支持している左右のレール部５１、５１と、レール部５１、５１の後端部（送り込み方向側の端部）に設けられ左右のフィルタギヤ３２、３２を回転可能に支持している左右のギヤ支持部５２、５２と、ブラシ４１（図３参照）を支持している左右のブラシ支持部５３、５３）とを有している。
【００３１】
右側のギヤ支持部５２は、フィルタユニット３０の着脱方向に沿った右側面５４を有している。右側面５４には、突出部５６が設けられている。左側のギヤ支持部５２は、右側のギヤ支持部と左右対称の構成である。説明は省略する。ケース１１の左右の内壁面１７、１７には、それぞれ、左右のガイド溝１８、１８が設けられている。
【００３２】
図３及び図４を参照する。左右の内壁面１７、１７の間において、保持部１２の入口１２ａの直前には、ガイド部６０が設けられている。このガイド部６０は、受け部４２と一体的に形成されており、受け部４２のなかの、前側（フィルタ導入側）の縁部４２ａに沿って設けられている。
【００３３】
図３、図４及び図５を参照する。詳細には、このガイド部６０は、左右方向（矢印（１）が示す送り込み方向から見たフィルタ幅方向）に延びる第１のガイド面６１と、この第１のガイド面６１の縁から突出した少なくとも１つ、例えば４つの、薄肉状の第１の薄肉部７１〜第４の薄肉部７４と、を有している。第１の薄肉部７１〜第４の薄肉部７４は、互いの同一の構成である。以下、例として、第２の薄肉部７２について説明する。
【００３４】
第２の薄肉部７２は、第１のガイド面６１と連続している第２のガイド面７２ａを有している。第２のガイド面７２ａは、第１のガイド面６１の先端６１ａ（第１のガイド面６１の縁）を基点に、導入口２１から、離れる方向に傾いている。なお、ガイド部６０は、ガイド部６０全体の先端６０ａに向かうに連れて、導入口２１から離れる方向に、屈曲又は湾曲してもよい。
【００３５】
第２の薄肉部７２の側方には、導入口２１から導入された空気が通過可能な通気スペース７５、７５が設けられている。
【００３６】
壁部１５の上端部１５ａ、受け部４２、第１のガイド面６１には、リブ６２が設けられている。第２の薄肉部７２は、このリブ６２が前方に突出した部位ともいえる。
【００３７】
第２の薄肉部７２は、左右方向（フィルタ３１幅方向）について導入口２１の中央に位置している。即ち、左側の内壁面１７から第２の薄肉部７２までの寸法Ｌ１と、右側の内壁面１７から第２の薄肉部７２までの寸法Ｌ２は等しい。フィルタ３１の幅Ｌは、寸法Ｌ１と寸法Ｌ２との和に等しい。
【００３８】
次に、実施例の効果について説明する。
【００３９】
図４を参照する。フィルタ３１の先端部３４が突出した状態での、フィルタユニット３０（支持体５０）のケース１１への取り付けについて説明する。
【００４０】
図６を参照する。保持部１２の入口１２ａの直前には、フィルタ３１の先端部３４を、保持部１２に向けてガイドすることが可能なガイド部６０が設けられている。ガイド部６０は、第１のガイド面６１と、第１のガイド面６１と連続している第２のガイド面７２ａ（第２の薄肉部７２の上面）と、を有している。そのため、フィルタユニット３０をケース１１に取り付ける時において、矢印（３）に示されるように、フィルタ３１の先端部３４は、第１のガイド面６１又は第２のガイド面７２ａと当接し、保持部１２の入口１２ａに向けてガイドされる。
【００４１】
なお、矢印（４）に示されるように、第１のガイド面６１及び第２のガイド面７２は、先端部３４と当接した際に、先端部３４を支持体５０に押し込む作用も有する。
【００４２】
図４及び図５を併せて参照する。加えて、このガイド部６０は、送り込み方向から見たフィルタ３１の幅方向において、薄肉状の第１の薄肉部７１〜第４の薄肉部７４を有している。仮に、これらの第１の薄肉部７１〜第４の薄肉部７４が設けられず、第１のガイド面６１を第１の薄肉部７１〜第４の薄肉部７４の先端位置まで延在させると、ファン２２（図２参照）が取り込む空気の流れを遮るおそれがる。
【００４３】
一方、第１の薄肉部７１〜第４の薄肉部７４が設けられれば、例えば、第２の薄肉部７２の側方には、導入口２１から導入された空気が通過可能な通気スペース７５、７５が設けられる。以上より、ガイド部６０は、入口２１から導入された空気の流れを遮らずにフィルタ３１の先端部３４をガイドできる。
【００４４】
加えて、ガイド部６０は、受け部４２のなかの、前側の縁部４２ａに沿って設けられている。受け部４２を利用することで、ガイド部６０をより簡易に設けることができる。
【００４５】
加えて、第２のガイド面７２ａは、第１のガイド面６１の先端６０ａを基点に、導入口２１から、離れる方向に傾いている。そのため、フィルタ３１の先端部３４の突出量が多い場合であっても、先端部３４は、第２のガイド面７２ａに当接しやすくなる。フィルタ３１を保持部１２に向けて確実にガイドさせることができる。
【００４６】
図４を参照する。第２の薄肉部７２は、フィルタ３１幅方向で導入口２１の中央に位置している。そのため、第２の薄肉部７２は、フィルタ３１の中の最も撓みやすい部位と当接しやすくなり、フィルタ３１を保持部１２に向けて確実にガイドできる。
【００４７】
図８（ａ）を参照する。次に、フィルタユニット３０の別の実施例について説明する。このフィルタユニット３０Ａのなかの支持体５０Ａの構成は、支持体５０と異なる。他の構成については、フィルタユニット３０と同一であり、符号を流用すると共に、説明を省略する。フィルタユニット３０Ａの支持体５０Ａは、左右のレール部５１、５１のフィルタ導入側の端部間に延びる導入部５７を有している。
【００４８】
図８（ｂ）を参照する。この導入部５７は、支持体５０に対してフィルタ３１が所定の取付け位置にある時にフィルタ３１を支持する基部５８と、この基部５８からフィルタ３１に沿って延びる延出部５９と、を有している。
【００４９】
延出部５９のなかのフィルタ３１に対向する面には、フィルタ３１に向かって突出している凸部５９ａが設けられている。フィルタ３１が所定の取付け位置にある時、凸部５９ａは、基部５８と共にフィルタ３１の末端部３９を挟んでいる。
【００５０】
そのため、矢印（５）に示されるように、フィルタ３１が送り込み方向へ移動しようとする時、フィルタ３１の末端部３９は、凸部５９ａを乗り越える必要がある。フィルタ３１の送り込み方向への移動は、規制される。結果、フィルタ３１の先端部３４の突出を抑制できる。
【００５１】
本発明の作用及び効果を奏する限りにおいて、本発明は実施例に限定されるものではない。
【産業上の利用可能性】
【００５２】
本発明の空気調和装置は、家庭用のエアコン装置に好適である。
【符号の説明】
【００５３】
１０…空気調和装置
１１…ケース
１２…保持部
１２ａ…入口
１５…壁部
２１…導入口
３０…フィルタユニット
３１…フィルタ
３２…フィルタギヤ
３３…フィルタ端部（フィルタの両端部）
３４…先端部
４０…清掃ユニット
４１…ブラシ
４２…受け部
４２ａ…縁部
５０…支持体
５１…レール部
５７…導入部
５８…基部
５９…延出部
５９ａ…凸部
６０…ガイド部
６０ａ…先端
６１…第１のガイド面
６１ａ…先端
６２…リブ
７１…第１の薄肉部
７２…第２の薄肉部
７２ａ…第２のガイド面
７３…第３の薄肉部
７４…第４の薄肉部
７５…通気スペース
【図１】
2020020481.tif 000003
【図２】
2020020481.tif 000004
【図３】
2020020481.tif 000005
【図４】
2020020481.tif 000006
【図５】
2020020481.tif 000007
【図６】
2020020481.tif 000008
【図７】
2020020481.tif 000009
【図８】
2020020481.tif 000010